(57)【要約】【課題】反射型表示装置の表示品質を損なうことなく表示可能な色の組み合わせが異なる複数種類の表示媒体が各々所望の箇所に配置された反射型表示装置を提供すること。【解決手段】対向する２枚の基板間に電気応答性材料を含む表示媒体が封入されている、反射型表示装置であって、前記第１の可変表示領域に配置された第１の表示媒体と、前記第２の可変表示領域に配置された第２の表示媒体と、を備え、前記第１の可変表示領域と前記第２の可変表示領域との間の領域である固定表示領域には、第１の表示媒体及び／または第２の表示媒体に含まれる電気応答性材料が、少なくとも前記一方の基板の側に固定されていることを特徴とする反射型表示装置。【選択図】図１
2015064496.tif 000002
【特許請求の範囲】
【請求項１】
各々電極が形成されている対向する２枚の基板間に電気応答性材料を含む表示媒体が封入されていて、前記２枚の基板間に所定の電界が与えられる際に所望の表示をする、反射型表示装置であって、
透光性を有する一方の基板と、
前記一方の基板及び他方の基板の前記所望の表示に利用される第１の可変表示領域において、当該一方の基板と当該他方の基板との間に配置された第１の表示媒体と、
前記一方の基板及び前記他方の基板の前記所望の表示に利用される第２の可変表示領域において、当該一方の基板と当該他方の基板との間に配置された第２の表示媒体と、
を備え、
前記第１の可変表示領域と前記第２の可変表示領域との間の領域である固定表示領域には、前記第１の表示媒体及び／または前記第２の表示媒体に含まれる電気応答性材料が、少なくとも前記一方の基板の側に固定されている
ことを特徴とする反射型表示装置。
【請求項２】
前記第１の表示媒体は、第１の色を有する第１の電気応答性材料を含んでおり、
前記第２の表示媒体は、第２の色を有する第２の電気応答性材料を含んでおり、
前記第１の表示媒体及び前記第２の表示媒体は、更に、少なくとも前記第１の色及び前記第２の色とは異なる第３の色を有する第３の電気応答性材料を含んでおり、
前記固定表示領域では、前記第３の電気応答性材料が、前記一方の基板の側に固定されている
ことを特徴とする請求項１に記載の反射型表示装置。
【請求項３】
当該反射型表示装置は、
前記一方の基板と前記他方の基板との間に設けられ、前記第１の可変表示領域及び前記第２の可変表示領域を含む領域において複数のセルを区画する隔壁
を更に備え、
前記第１の表示媒体及び前記第２の表示媒体は、それぞれ前記第１の可変表示領域及び前記第２の可変表示領域において、各セル内に配置されている
ことを特徴とする請求項１または２に記載の反射型表示装置。
【請求項４】
前記固定表示領域において、前記一方の基板の前記他方の基板に対向する側の面には、電気応答性材料固定用接着剤が設けられており、
当該電気応答性材料固定用接着剤に、前記第３の電気応答性材料が固定されている
ことを特徴とする請求項１乃至３のいずれかに記載の反射型表示装置。
【請求項５】
前記固定表示領域において、前記他方の基板の前記一方の基板に対向する側の面には、電気応答性材料固定用接着剤が設けられており、
当該電気応答性材料固定用接着剤に、前記第１の電気応答性材料及び／または前記第２の電気応答性材料が固定されている
ことを特徴とする請求項１乃至４のいずれかに記載の反射型表示装置。
【請求項６】
前記第１の可変表示領域の縁部及び／または前記第２の可変表示領域の縁部に隣接する前記固定表示領域の縁部において、前記一方の基板の側から前記他方の基板の側に向かう方向に見て、当該縁部に沿う方向に長く延びる形状のセルが区画されている
ことを特徴とする請求項１乃至５のいずれかに記載の反射型表示装置。
【請求項７】
少なくとも一方が透光性を有しており各々電極が形成されている対向する２枚の基板間に電気応答性材料を含む表示媒体が封入されていて、前記２枚の基板間に所定の電界が与えられる際に所望の表示をする、反射型表示装置、を製造する方法であって、
一方の基板上の少なくとも前記所望の表示に利用される第１の可変表示領域及び第２の可変表示領域を含む領域に複数のセルを区画する隔壁を形成する隔壁形成工程と、
前記一方の基板及び／または前記他方の基板上の前記第１の可変表示領域と前記第２の可変表示領域との間の領域である固定表示領域に電気応答性材料固定用接着剤を配置する電気応答性材料固定用接着剤配置工程と、
前記電気応答性材料固定用接着剤配置工程の後に実施され、前記一方の基板上の前記第１の可変表示領域に第１の表示媒体を配置する第１表示媒体配置工程と、
前記電気応答性材料固定用接着剤配置工程の後に実施され、前記一方の基板上の前記第２の可変表示領域に第２の表示媒体を配置する第２表示媒体配置工程と、
前記第１の表示媒体及び前記第２の表示媒体が配置された後に、当該第１の表示媒体及び当該第２の表示媒体が各セル内に封止されるよう、前記一方の基板と前記他方の基板とを、当該一方の基板の前記隔壁の頂面と当該他方の基板とが対向するように、且つ、当該一方の基板または当該他方の基板上の前記電気応答性材料固定用接着剤が当該他方の基板または当該一方の基板の前記固定表示領域に対向するように配置する他方基板配置工程と、
前記固定表示領域において前記第１の表示媒体及び／または前記第２の表示媒体に含まれる電気応答性材料の少なくとも一部が前記一方の基板及び／または前記他方の基板上の前記電気応答性材料固定用接着剤に固定されるよう、前記固定表示領域において前記２枚の基板間に電圧を加える電気応答性材料固定工程と、
を備えたことを特徴とする反射型表示装置の製造方法。
【請求項８】
前記第１の表示媒体は、第１の色を有する第１の電気応答性材料を含んでおり、
前記第２の表示媒体は、第２の色を有する第２の電気応答性材料を含んでおり、
前記第１の表示媒体及び前記第２の表示媒体は、更に、少なくとも前記第１の色及び前記第２の色とは異なる第３の色を有する第３の電気応答性材料を含んでおり、
前記第３の電気応答性材料は、前記第１の電気応答性材料及び前記第２の電気応答性材料とは異なる極性に帯電されている
ことを特徴とする請求項７に記載の反射型表示装置の製造方法。
【請求項９】
前記隔壁形成工程において、前記第１の可変表示領域の縁部及び／または前記第２の可変表示領域の縁部に隣接する前記固定表示領域の縁部において、前記一方の基板の側から前記他方の基板の側に向かう方向に見て、当該縁部に沿う方向に長く延びる形状のセルが区画され、
前記他方基板配置工程において、前記他方の基板は、前記一方の基板と当該他方の基板とが互いに押圧されて当該一方の基板と当該他方の基板とが互いに押圧される部位が前記第１の可変表示領域の縁部及び／または前記第２の可変表示領域の縁部に沿って移動されながら、配置される
ことを特徴とする請求項７または８に記載の反射型表示装置の製造方法。
【請求項１０】
少なくとも一方が透光性を有しており各々電極が形成されている対向する２枚の基板間に電気応答性材料を含む表示媒体が封入されていて、前記２枚の基板間に所定の電界が与えられる際に所望の表示をする、反射型表示装置、を製造する方法であって、
一方の基板上の前記所望の表示に利用される第１の可変表示領域に第１の表示媒体を配置する第１表示媒体配置工程と、
前記一方の基板上の前記所望の表示に利用される第２の可変表示領域に第２の表示媒体を配置する第２表示媒体配置工程と、
前記第１の表示媒体及び前記第２の表示媒体が配置された後に、当該第１の表示媒体及び当該第２の表示媒体が前記一方の基板と他方の基板との間に配置されるように、当該他方の基板を当該一方の基板に対向して配置する他方基板配置工程と、
前記第１の可変表示領域と前記第２の可変表示領域との間の領域である固定表示領域において前記第１の表示媒体及び／または前記第２の表示媒体に含まれる電気応答性材料の少なくとも一部が前記一方の基板及び前記他方の基板のうち少なくとも透光性を有する基板の側に凝集することによって固定されるよう、前記固定表示領域において前記２枚の基板間に電気応答性材料凝集用電圧を加える電気応答性材料固定工程と、
を備えたことを特徴とする反射型表示装置の製造方法。
【請求項１１】
前記電気応答性材料固定工程において、前記固定表示領域において前記第１の表示媒体及び／または前記第２の表示媒体に含まれる電気応答性材料の少なくとも一部が前記一方の基板及び前記他方の基板のうち少なくとも透光性を有する基板の側に凝集することによって固定されるよう、当該固定表示領域において前記第１の表示媒体及び／または前記第２の表示媒体を所定の電気応答性材料凝集用温度以上に加熱して当該固定表示領域において前記２枚の基板間に前記電気応答性材凝集用電圧を加える
ことを特徴とする請求項１０に記載の反射型表示装置の製造方法。
【請求項１２】
当該反射型表示装置の製造方法は、
前記第１表示媒体配置工程及び前記第２表示媒体配置工程の前に実施され、前記一方の基板上の前記第１の可変表示領域及び前記第２の可変表示領域を含む領域に複数のセルを区画する隔壁を形成する隔壁形成工程
を更に備え、
前記他方基板配置工程において、前記第１の表示媒体及び前記第２の表示媒体が各セル内に封止されるよう、前記一方の基板と前記他方の基板とは、当該一方の基板の前記隔壁の頂面と当該他方の基板とが対向するように配置される
ことを特徴とする請求項１０または１１に記載の反射型表示装置の製造方法。
【請求項１３】
前記第１の表示媒体は、第１の色を有する第１の電気応答性材料を含んでおり、
前記第２の表示媒体は、第２の色を有する第２の電気応答性材料を含んでおり、
前記第１の表示媒体及び前記第２の表示媒体は、更に、少なくとも前記第１の色及び前記第２の色とは異なる第３の色を有する第３の電気応答性材料を含んでおり、
前記第３の電気応答性材料は、前記第１の電気応答性材料及び前記第２の電気応答性材料とは異なる極性に帯電されている
ことを特徴とする請求項１０乃至１２のいずれかに記載の反射型表示装置の製造方法。
【請求項１４】
前記隔壁形成工程において、前記第１の可変表示領域の縁部及び／または前記第２の可変表示領域の縁部に隣接する前記固定表示領域の縁部において、前記一方の基板の側から前記他方の基板の側に向かう方向に見て、当該縁部沿う方向に長く延びる形状のセルが区画され、
前記他方基板配置工程において、前記他方の基板は、前記一方の基板と当該他方の基板とが互いに押圧されて当該一方の基板と当該他方の基板とが互いに押圧される部位が前記第１の可変表示領域の縁部及び／または前記第２の可変表示領域の縁部に沿って移動されながら、配置される
ことを特徴とする請求項１０乃至１３のいずれかに記載の反射型表示装置の製造方法。
【請求項１５】
少なくとも一方が透光性を有しており各々電極が形成されている対向する２枚の基板間に電気応答性材料を含む表示媒体が封入されていて、前記２枚の基板間に所定の電界が与えられる際に所望の表示をする、反射型表示装置、を製造する方法であって、
一方の基板上の前記所望の表示に利用される第１の可変表示領域及び第２の可変表示領域を含む領域に複数のセルを区画する隔壁を形成する隔壁形成工程と、
前記一方の基板上の前記第１の可変表示領域に第１の表示媒体を配置する第１表示媒体配置工程と、
前記一方の基板上の前記第２の可変表示領域に第２の表示媒体を配置する第２表示媒体配置工程と、
前記一方の基板上の前記第１の可変表示領域と前記第２の可変表示領域との間の領域である固定表示領域に、前記第１の表示媒体及び／または前記第２の表示媒体に含まれる電気応答性材料を凝集させるための有機物成分を配置する表示媒体凝集剤配置工程と、
前記第１表示媒体配置工程、前記第２表示媒体配置工程及び前記表示媒体凝集剤配置工程の後に実施され、前記第１の表示媒体及び前記第２の表示媒体が各セル内に封止されるよう、前記一方の基板と前記他方の基板とを、当該一方の基板の前記隔壁の頂面と当該他方の基板とが対向するように配置する他方基板配置工程と、
前記固定表示領域において前記第１の表示媒体及び／または前記第２の表示媒体に含まれる電気応答性材料の少なくとも一部が前記一方の基板及び前記他方の基板のうち少なくとも透光性を有する基板の側に凝集することによって固定されるよう、当該固定表示領域において前記２枚の基板間に電気応答性材料凝集用電圧を加える電気応答性材料固定工程と、
を備えたことを特徴とする反射型表示装置の製造方法。
【請求項１６】
前記第１の表示媒体は、第１の色を有する第１の電気応答性材料を含んでおり、
前記第２の表示媒体は、第２の色を有する第２の電気応答性材料を含んでおり、
前記第１の表示媒体及び前記第２の表示媒体は、更に、少なくとも前記第１の色及び前記第２の色とは異なる第３の色を有する第３の電気応答性材料を含んでおり、
前記第３の電気応答性材料は、前記第１の電気応答性材料及び前記第２の電気応答性材料とは異なる極性に帯電されている
ことを特徴とする請求項１５に記載の反射型表示装置の製造方法。
【請求項１７】
少なくとも一方が透光性を有しており各々電極が形成されている対向する２枚の基板間に電気応答性材料を含む表示媒体が封入されていて、前記２枚の基板間に所定の電界が与えられる際に所望の表示をする、反射型表示装置、を製造する方法であって、
一方の基板上の前記所望の表示に利用される第１の可変表示領域に第１の表示媒体を配置する第１表示媒体配置工程と、
前記一方の基板上の前記所望の表示に利用される第２の可変表示領域に第２の表示媒体を配置する第２表示媒体配置工程と、
前記第１の表示媒体及び前記第２の表示媒体が配置された後に、当該第１の表示媒体及び当該第２の表示媒体が前記一方の基板と他方の基板との間に配置されるように、当該他方の基板を当該一方の基板に対向して配置する他方基板配置工程と、
前記第１の可変表示領域と前記第２の可変表示領域との間の領域である固定表示領域において前記第１の表示媒体及び／または前記第２の表示媒体に含まれる電気応答性材料の少なくとも一部を前記一方の基板及び前記他方の基板のうち少なくとも透光性を有する基板の側に固定する電気応答性材料固定工程と、
を備え、
前記電気応答性材料固定工程は、
前記第１の表示媒体及び／または前記第２の表示媒体に含まれる電気応答性材料の少なくとも一部が少なくとも前記透光性を有する基板の側に移動されるよう前記２枚の基板間に電圧を加える工程と、
前記固定表示領域において前記透光性を有する基板の側に移動された前記電気応答性材料の移動状態が維持されるよう、当該固定表示領域に形成される前記電極と、当該電極と前記２枚の基板間に電圧を加えて前記所定の電界を与えるための駆動用電源と、の電気的接続を断つ工程と、
を含んでいることを特徴とする反射型表示装置の製造方法。
【請求項１８】
前記第１の表示媒体は、第１の色を有する第１の電気応答性材料を含んでおり、
前記第２の表示媒体は、第２の色を有する第２の電気応答性材料を含んでおり、
前記第１の表示媒体及び前記第２の表示媒体は、更に、少なくとも前記第１の色及び前記第２の色とは異なる第３の色を有する第３の電気応答性材料を含んでおり、
前記第３の電気応答性材料は、前記第１の電気応答性材料及び前記第２の電気応答性材料とは異なる極性に帯電されている
ことを特徴とする請求項１７に記載の反射型表示装置の製造方法。
【発明の詳細な説明】
【技術分野】
【０００１】
本発明は、電子ペーパー等に応用されている反射型表示装置及びその製造方法に関する。
【背景技術】
【０００２】
反射型表示装置として、最近、電気泳動表示装置が広く用いられている。電気泳動表示装置とは、空気中または分散媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置では、通常、表示媒体に含まれている電気泳動体の電気的な泳動の状態によって、情報を２つの色で表示可能である。そして、表示可能な２つの色の組み合わせは、表示媒体に含まれる荷電粒子の色や分散媒の色を所望のように選択することにより、所望のように選択し得る。
【０００５】
このような電気泳動表示装置において、３以上の色で表示を行うために、表示可能な色の組み合わせが異なる複数種類の表示媒体を用意して、当該複数種類の表示媒体を各々所望の箇所に配置することが採用されている。
【０００６】
例えば特許文献１（特許第４７９７２８２号公報）には、マイクロカプセルに封入された表示媒体をバインダと共に塗布する工程と、塗布された表示媒体のパターニングを行って所望の箇所以外の表示媒体を除去する工程と、を交互に繰り返すことで所望の表示媒体を所望の箇所に配置する方法が開示されている。
【０００７】
また、特許文献２（特許第４１７０８９６号公報）には、まず、ある表示媒体を全てのセル内に配置して所望の箇所のセルにのみ樹脂で蓋を形成して当該表示媒体を当該セル内に封止した後、他のセルから表示媒体を除去し、当該他のセルに他の表示媒体を配置することで、所望の表示媒体を所望の箇所に配置する方法が開示されている。
【０００８】
また、特許文献３（特開２０１０−２０４４８１号公報）には、粉体の表示媒体を所望の箇所に配置する方法であって、所望の箇所に対応する箇所に開口が設けられているマスクを利用して、当該開口を介して表示媒体を配置する方法が開示されている。
【先行技術文献】
【特許文献】
【０００９】
【特許文献１】特許第４７９７２８２号公報
【特許文献２】特許第４１７０８９６号公報
【特許文献３】特開２０１０−２０４４８１号公報
【発明の概要】
【発明が解決しようとする課題】
【００１０】
本件発明者は、所望の箇所に所望の表示媒体を配置する方法について鋭意研究を重ねるうち、以下のような知見を得るに至った。
【００１１】
表示媒体をパターニングして所望の箇所に配置する場合、表示媒体をパターニングに適したものとするために当該表示媒体を特殊な材料で形成することが必要となる。このため、所望の表示特性を有する表示媒体を形成する、ということが困難である。
【００１２】
また、セル内に表示媒体を配置した後に当該表示媒体を除去して他の表示媒体を配置する場合、先に配置された表示媒体をセル内から完全に除去しきれなければ、先に配置された表示媒体が後から配置される表示媒体にとって不純物となってしまい、後から配置される表示媒体の表示特性が損なわれてしまうことがある。
【００１３】
また、開口を有するマスクを利用して表示媒体を配置する場合、表示媒体が液状であると、表示媒体がマスクの裏面に液回りしてしまって、所望の箇所以外の場所にも表示媒体が配置されてしまうことがある。
【００１４】
さらに、前述のいずれの方法においても、互いに異なる表示媒体が各々配置されるべき複数の領域の境界部分において各領域の表示媒体が互いに混ざり合うことのないように、所望の表示媒体を所望の領域に配置することは困難であった。したがってこのような境界部分において互いに異なる表示媒体が互いに混ざり合って配置されて表示媒体の表示特性が損なわれてしまい、反射型表示装置の表示品質が損なわれてしまうことがあった。
【００１５】
本発明は、このような事情に基づいて行われたものであり、その目的は、反射型表示装置の表示品質を損なうことなく表示可能な色の組み合わせが異なる複数種類の表示媒体が各々所望の箇所に配置された反射型表示装置を提供することにある。
【課題を解決するための手段】
【００１６】
本発明は、各々電極が形成されている対向する２枚の基板間に電気応答性材料を含む表示媒体が封入されていて、前記２枚の基板間に所定の電界が与えられる際に所望の表示をする、反射型表示装置であって、透光性を有する一方の基板と、前記一方の基板及び他方の基板の前記所望の表示に利用される第１の可変表示領域において、当該一方の基板と当該他方の基板との間に配置された第１の表示媒体と、前記一方の基板及び前記他方の基板の前記所望の表示に利用される第２の可変表示領域において、当該一方の基板と当該他方の基板との間に配置された第２の表示媒体と、を備え、前記第１の可変表示領域と前記第２の可変表示領域との間の領域である固定表示領域には、前記第１の表示媒体及び／または前記第２の表示媒体に含まれる電気応答性材料が、少なくとも前記一方の基板の側に固定されていることを特徴とする反射型表示装置である。
【００１７】
好ましくは、前記第１の表示媒体は、第１の色を有する第１の電気応答性材料を含んでおり、前記第２の表示媒体は、第２の色を有する第２の電気応答性材料を含んでおり、前記第１の表示媒体及び前記第２の表示媒体は、更に、少なくとも前記第１の色及び前記第２の色とは異なる第３の色を有する第３の電気応答性材料を含んでおり、前記固定表示領域では、前記第３の電気応答性材料が、前記一方の基板の側に固定されている。
【００１８】
好ましくは、当該反射型表示装置は、前記一方の基板と前記他方の基板との間に設けられ、前記第１の可変表示領域及び前記第２の可変表示領域を含む領域において複数のセルを区画する隔壁を更に備え、前記第１の表示媒体及び前記第２の表示媒体は、それぞれ前記第１の可変表示領域及び前記第２の可変表示領域において、各セル内に配置されている。
【００１９】
好ましくは、前記固定表示領域において、前記一方の基板の前記他方の基板に対向する側の面には、電気応答性材料固定用接着剤が設けられており、当該電気応答性材料固定用接着剤に、前記第３の電気応答性材料が固定されている。あるいは、前記固定表示領域において、前記他方の基板の前記一方の基板に対向する側の面には、電気応答性材料固定用接着剤が設けられており、当該電気応答性材料固定用接着剤に、前記第１の電気応答性材料及び／または前記第２の電気応答性材料が固定されている。
【００２０】
好ましくは、前記第１の可変表示領域の縁部及び／または前記第２の可変表示領域の縁部に隣接する前記固定表示領域の縁部において、前記一方の基板の側から前記他方の基板の側に向かう方向に見て、当該縁部に沿う方向に長く延びる形状のセルが区画されている。
【００２１】
あるいは、本発明は、少なくとも一方が透光性を有しており各々電極が形成されている対向する２枚の基板間に電気応答性材料を含む表示媒体が封入されていて、前記２枚の基板間に所定の電界が与えられる際に所望の表示をする、反射型表示装置、を製造する方法であって、一方の基板上の少なくとも前記所望の表示に利用される第１の可変表示領域及び第２の可変表示領域を含む領域に複数のセルを区画する隔壁を形成する隔壁形成工程と、前記一方の基板及び／または前記他方の基板上の前記第１の可変表示領域と前記第２の可変表示領域との間の領域である固定表示領域に電気応答性材料固定用接着剤を配置する電気応答性材料固定用接着剤配置工程と、前記電気応答性材料固定用接着剤配置工程の後に実施され、前記一方の基板上の前記第１の可変表示領域に第１の表示媒体を配置する第１表示媒体配置工程と、前記電気応答性材料固定用接着剤配置工程の後に実施され、前記一方の基板上の前記第２の可変表示領域に第２の表示媒体を配置する第２表示媒体配置工程と、前記第１の表示媒体及び前記第２の表示媒体が配置された後に、当該第１の表示媒体及び当該第２の表示媒体が各セル内に封止されるよう、前記一方の基板と前記他方の基板とを、当該一方の基板の前記隔壁の頂面と当該他方の基板とが対向するように、且つ、当該一方の基板または当該他方の基板上の前記電気応答性材料固定用接着剤が当該他方の基板または当該一方の基板の前記固定表示領域に対向するように配置する他方基板配置工程と、前記固定表示領域において前記第１の表示媒体及び／または前記第２の表示媒体に含まれる電気応答性材料の少なくとも一部が前記一方の基板及び／または前記他方の基板上の前記電気応答性材料固定用接着剤に固定されるよう、前記固定表示領域において前記２枚の基板間に電圧を加える電気応答性材料固定工程と、を備えたことを特徴とする反射型表示装置の製造方法である。
【００２２】
好ましくは、前記第１の表示媒体は、第１の色を有する第１の電気応答性材料を含んでおり、前記第２の表示媒体は、第２の色を有する第２の電気応答性材料を含んでおり、前記第１の表示媒体及び前記第２の表示媒体は、更に、少なくとも前記第１の色及び前記第２の色とは異なる第３の色を有する第３の電気応答性材料を含んでおり、前記第３の電気応答性材料は、前記第１の電気応答性材料及び前記第２の電気応答性材料とは異なる極性に帯電されている。
【００２３】
好ましくは、前記隔壁形成工程において、前記第１の可変表示領域の縁部及び／または前記第２の可変表示領域の縁部に隣接する前記固定表示領域の縁部において、前記一方の基板の側から前記他方の基板の側に向かう方向に見て、当該縁部に沿う方向に長く延びる形状のセルが区画され、前記他方基板配置工程において、前記他方の基板は、前記一方の基板と当該他方の基板とが互いに押圧されて当該一方の基板と当該他方の基板とが互いに押圧される部位が前記第１の可変表示領域の縁部及び／または前記第２の可変表示領域の縁部に沿って移動されながら、配置される。
【００２４】
あるいは、本発明は、少なくとも一方が透光性を有しており各々電極が形成されている対向する２枚の基板間に電気応答性材料を含む表示媒体が封入されていて、前記２枚の基板間に所定の電界が与えられる際に所望の表示をする、反射型表示装置、を製造する方法であって、一方の基板上の前記所望の表示に利用される第１の可変表示領域に第１の表示媒体を配置する第１表示媒体配置工程と、前記一方の基板上の前記所望の表示に利用される第２の可変表示領域に第２の表示媒体を配置する第２表示媒体配置工程と、前記第１の表示媒体及び前記第２の表示媒体が配置された後に、当該第１の表示媒体及び当該第２の表示媒体が前記一方の基板と他方の基板との間に配置されるように、当該他方の基板を当該一方の基板に対向して配置する他方基板配置工程と、前記第１の可変表示領域と前記第２の可変表示領域との間の領域である固定表示領域において前記第１の表示媒体及び／または前記第２の表示媒体に含まれる電気応答性材料の少なくとも一部が前記一方の基板及び前記他方の基板のうち少なくとも透光性を有する基板の側に凝集することによって固定されるよう、前記固定表示領域において前記２枚の基板間に電気応答性材料凝集用電圧を加える電気応答性材料固定工程と、を備えたことを特徴とする反射型表示装置の製造方法である。
【００２５】
例えば、電気応答性材料固定工程において２枚の基板間に加えられる電気応答性材料凝集用電圧を駆動電圧よりも非常に高い電圧とすることにより、固定表示領域において電気応答性材料を容易に凝集させて固定することが可能である。
【００２６】
あるいは、前記電気応答性材料固定工程において、前記固定表示領域において前記第１の表示媒体及び／または前記第２の表示媒体に含まれる電気応答性材料の少なくとも一部が前記一方の基板及び前記他方の基板のうち少なくとも透光性を有する基板の側に凝集することによって固定されるよう、当該固定表示領域において前記第１の表示媒体及び／または前記第２の表示媒体を所定の電気応答性材料凝集用温度以上に加熱して当該固定表示領域において前記２枚の基板間に前記電気応答性材凝集用電圧を加える。
【００２７】
好ましくは、当該反射型表示装置の製造方法は、前記第１表示媒体配置工程及び前記第２表示媒体配置工程の前に実施され、前記一方の基板上の前記第１の可変表示領域及び前記第２の可変表示領域を含む領域に複数のセルを区画する隔壁を形成する隔壁形成工程を更に備え、前記他方基板配置工程において、前記第１の表示媒体及び前記第２の表示媒体が各セル内に封止されるよう、前記一方の基板と前記他方の基板とは、当該一方の基板の前記隔壁の頂面と当該他方の基板とが対向するように配置される。
【００２８】
好ましくは、前記第１の表示媒体は、第１の色を有する第１の電気応答性材料を含んでおり、前記第２の表示媒体は、第２の色を有する第２の電気応答性材料を含んでおり、前記第１の表示媒体及び前記第２の表示媒体は、更に、少なくとも前記第１の色及び前記第２の色とは異なる第３の色を有する第３の電気応答性材料を含んでおり、前記第３の電気応答性材料は、前記第１の電気応答性材料及び前記第２の電気応答性材料とは異なる極性に帯電されている。
【００２９】
好ましくは、前記隔壁形成工程において、前記第１の可変表示領域の縁部及び／または前記第２の可変表示領域の縁部に隣接する前記固定表示領域の縁部において、前記一方の基板の側から前記他方の基板の側に向かう方向に見て、当該縁部沿う方向に長く延びる形状のセルが区画され、前記他方基板配置工程において、前記他方の基板は、前記一方の基板と当該他方の基板とが互いに押圧されて当該一方の基板と当該他方の基板とが互いに押圧される部位が前記第１の可変表示領域の縁部及び／または前記第２の可変表示領域の縁部に沿って移動されながら、配置される。
【００３０】
あるいは、本発明は、少なくとも一方が透光性を有しており各々電極が形成されている対向する２枚の基板間に電気応答性材料を含む表示媒体が封入されていて、前記２枚の基板間に所定の電界が与えられる際に所望の表示をする、反射型表示装置、を製造する方法であって、一方の基板上の前記所望の表示に利用される第１の可変表示領域及び第２の可変表示領域を含む領域に複数のセルを区画する隔壁を形成する隔壁形成工程と、前記一方の基板上の前記第１の可変表示領域に第１の表示媒体を配置する第１表示媒体配置工程と、前記一方の基板上の前記第２の可変表示領域に第２の表示媒体を配置する第２表示媒体配置工程と、前記一方の基板上の前記第１の可変表示領域と前記第２の可変表示領域との間の領域である固定表示領域に、前記第１の表示媒体及び／または前記第２の表示媒体に含まれる電気応答性材料を凝集させるための有機物成分を配置する表示媒体凝集剤配置工程と、前記第１表示媒体配置工程、前記第２表示媒体配置工程及び前記表示媒体凝集剤配置工程の後に実施され、前記第１の表示媒体及び前記第２の表示媒体が各セル内に封止されるよう、前記一方の基板と前記他方の基板とを、当該一方の基板の前記隔壁の頂面と当該他方の基板とが対向するように配置する他方基板配置工程と、前記固定表示領域において前記第１の表示媒体及び／または前記第２の表示媒体に含まれる電気応答性材料の少なくとも一部が前記一方の基板及び前記他方の基板のうち少なくとも透光性を有する基板の側に凝集することによって固定されるよう、当該固定表示領域において前記２枚の基板間に電気応答性材料凝集用電圧を加える電気応答性材料固定工程と、を備えたことを特徴とする反射型表示装置の製造方法である。
【００３１】
好ましくは、前記第１の表示媒体は、第１の色を有する第１の電気応答性材料を含んでおり、前記第２の表示媒体は、第２の色を有する第２の電気応答性材料を含んでおり、前記第１の表示媒体及び前記第２の表示媒体は、更に、少なくとも前記第１の色及び前記第２の色とは異なる第３の色を有する第３の電気応答性材料を含んでおり、前記第３の電気応答性材料は、前記第１の電気応答性材料及び前記第２の電気応答性材料とは異なる極性に帯電されている。
【００３２】
あるいは、本発明は、少なくとも一方が透光性を有しており各々電極が形成されている対向する２枚の基板間に電気応答性材料を含む表示媒体が封入されていて、前記２枚の基板間に所定の電界が与えられる際に所望の表示をする、反射型表示装置、を製造する方法であって、一方の基板上の前記所望の表示に利用される第１の可変表示領域に第１の表示媒体を配置する第１表示媒体配置工程と、前記一方の基板上の前記所望の表示に利用される第２の可変表示領域に第２の表示媒体を配置する第２表示媒体配置工程と、前記第１の表示媒体及び前記第２の表示媒体が配置された後に、当該第１の表示媒体及び当該第２の表示媒体が前記一方の基板と他方の基板との間に配置されるように、当該他方の基板を当該一方の基板に対向して配置する他方基板配置工程と、前記第１の可変表示領域と前記第２の可変表示領域との間の領域である固定表示領域において前記第１の表示媒体及び／または前記第２の表示媒体に含まれる電気応答性材料の少なくとも一部を前記一方の基板及び前記他方の基板のうち少なくとも透光性を有する基板の側に固定する電気応答性材料固定工程と、を備え、前記電気応答性材料固定工程は、前記第１の表示媒体及び／または前記第２の表示媒体に含まれる電気応答性材料の少なくとも一部が少なくとも前記透光性を有する基板の側に移動されるよう前記２枚の基板間に電圧を加える工程と、前記固定表示領域において前記透光性を有する基板の側に移動された前記電気応答性材料の移動状態が維持されるよう、当該固定表示領域に形成される前記電極と、当該電極と前記２枚の基板間に電圧を加えて前記所定の電界を与えるための駆動用電源と、の電気的接続を断つ工程と、を含んでいることを特徴とする反射型表示装置の製造方法である。
【００３３】
好ましくは、前記第１の表示媒体は、第１の色を有する第１の電気応答性材料を含んでおり、前記第２の表示媒体は、第２の色を有する第２の電気応答性材料を含んでおり、前記第１の表示媒体及び前記第２の表示媒体は、更に、少なくとも前記第１の色及び前記第２の色とは異なる第３の色を有する第３の電気応答性材料を含んでおり、前記第３の電気応答性材料は、前記第１の電気応答性材料及び前記第２の電気応答性材料とは異なる極性に帯電されている。
【発明の効果】
【００３４】
本発明によれば、第１の表示媒体及び第２の表示媒体がそれぞれ配置される隣り合う第１の可変表示領域と第２の可変表示領域との間の領域であって、両表示媒体が混ざり合って配置されてしまう可能性のある領域では、少なくとも視認側に配置される基板の側に電気応答性材料が固定されており、一方の基板と他方の基板との間の電界の変化に関係なく固定した表示がなされる。この結果、当該固定した表示がなされる固定表示領域に第１の表示媒体と第２の表示媒体とが混ざり合って配置されてしまっても、固定表示領域における表示媒体は、反射型表示装置の表示品質に影響を与えることがない。
【図面の簡単な説明】
【００３５】
【図１】図１は、本発明の第１の実施の形態による反射型表示装置の構成を概略的に示す断面図である。
【図２】図２は、図１に示す反射型表示装置の第１の可変表示領域と第２の可変表示領域と固定表示領域とを概略的に示す平面図である。詳しくは、図２（ａ）が、固定表示領域が第１の可変表示領域と第２の可変表示領域との間に直線状に設けられている様子を示す図であり、図２（ｂ）が、固定表示領域が第１の可変表示領域と第２の可変表示領域との間に鍵型状に設けられている様子を示す図である。
【図３】図３は、図１に示す反射型表示装置の製造方法を概略的に示すフロー図である。
【図４】図４は、隔壁形成工程の一例を概略的に示す図である。
【図５】図５は、隔壁の頂面の幅の定義について説明する図である。
【図６】図６は、隔壁形成工程において形成される隔壁の例を概略的に示す平面図である。詳しくは、図６（ａ）が、一方の基板上に一様に格子状のパターンで形成された隔壁を示す図であり、図６（ｂ）が、固定表示領域が直線状に設けられている場合において、可変表示領域の縁部に沿う方向に長く延びるセルを区画するように形成された隔壁を示す図であり、図６（ｃ）が、固定表示領域が鍵型状に設けられている場合において、可変表示領域の縁部に沿う方向に長く延びるセルを区画するように形成された隔壁を示す図である。
【図７】図７は、接着層形成工程の一例を概略的に示す図である。
【図８】図８は、第１表示媒体配置工程及び第２表示媒体配置工程の一例を概略的に示す図である。
【図９】図９は、他方基板配置工程において、一方の基板上に他方の基板が接着される様子を示す斜視図である。詳しくは、図９（ａ）が、固定表示領域が直線状に設けられている場合の他方の基板のラミネート方法を示す図であり、図９（ｂ）が、固定表示領域が鍵型状に設けられている場合の他方の基板のラミネート方法を示す図である。
【図１０】図１０は、本発明の第２の実施の形態による反射型表示装置の構成を概略的に示す断面図である。
【発明を実施するための形態】
【００３６】
図１は、本発明の第１の実施の形態による反射型表示装置の構成を概略的に示す断面図である。本実施の形態による反射型表示装置は、少なくとも一方が透光性を有しており各々電極が形成されている対向する２枚の基板間１１，１６に電気応答性材料を含む表示媒体１３１，１３２が封入されていて、２枚の基板１１，１６間に所定の電界が与えられる際に所望の表示をするようになっている。ここで、本件の明細書及び特許請求の範囲において「透光性」とは、光を透過する性質、という程度の意味である。本実施の形態においては、視認側に配置される基板は、全光透過率が５０％以上、好ましくは８０％以上、さらに好ましくは９０％以上となるような透光性を有している。
【００３７】
図１乃至図９において、一方の基板１１及び他方の基板１６の面上には、電極が設けられているが、それらの電極の図示は省略されている。本実施の形態においては、一方の基板１１が視認側に配置され、他方の基板１６が非視認側に配置される。
【００３８】
本実施の形態では、反射型表示装置は、図２に示すように、所望の表示に利用される第１の可変表示領域６１及び第２の可変表示領域６２を有している。また、第１の可変表示領域６１と第２の可変表示領域６２との間には、基板間に与えられる電界の変化に関係なく固定した表示がなされる固定表示領域６３が設けられている。なお、反射型表示装置の可変表示領域の数としては、任意の数が採用可能であり、３以上の数も採用可能である。この場合、隣り合う可変表示領域の間には、各々、固定表示領域が設けられる。
【００３９】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、酸化インジウムスズ（ＩＴＯ）、酸化亜鉛（ＺｎＯ）、酸化スズ（ＳｎＯ）等の透光性を有する電極（透光性電極）を付したものが、典型的に用いられ得る。
【００４０】
透光性電極は、塗工法やスパッタリング、真空蒸着法、ＣＶＤ法等によって形成され得る。透光性電極は、アクティブマトリクス駆動の場合及びセグメント駆動の場合は共通電極として用いられるので、必ずしもパターンが形成されている必要は無く、基板全面が電極であってもよい。一方、パッシブマトリクス駆動の場合、対向する両方の基板はパターン電極である必要があるため、透光性電極もストライプなどのパターンで形成される。
【００４１】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００４２】
一方の基板１１は、ロール状でもシート状でもどちらでも適用可能である。
【００４３】
他方の基板１６としては、樹脂フィルム、樹脂板、ガラス、エポキシガラス（ガラエポ）等の基材の表示媒体側の面に金属等の導電性材料によって対向電極が形成されたものが用いられ得る。また他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００４４】
対向電極としては、セグメント駆動及びパッシブマトリクス駆動の場合はパターン状の電極、また、アクティブマトリクス駆動の場合はＴＦＴ（Ｔｈｉｎ  Ｆｉｌｍ  Ｔｒａｎｓｉｓｔｏｒ）が配置される画素電極が用いられる。
【００４５】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００４６】
他方の基板１６も、ロール状でもシート状でもどちらでも適用可能である。
【００４７】
＜反射型表示装置の製造方法１＞
図３は、本発明の第１の実施の形態による反射型表示装置の製造方法を概略的に示すフロー図である。
【００４８】
図４は、隔壁形成工程の一例を概略的に示す図である。図４に示すように、まず、一般には水平方向に載置される一方の基板１１の上面に、例えばフォトリソグラフィ法（紫外線（ＵＶ）照射による露光→現像→焼成）によって、所定のパターンの隔壁１２が形成される。隔壁１２は、後述する複数のセルを規定する部材である。
【００４９】
ここで、本件の明細書及び特許請求の範囲においては、「セル」とは、粒子や粉体の沈降や偏在に起因して表示の不良、特にコントラストの低下を防止するべく上下の電極基板１１，１６間に形成された隔壁１２によって分割された、電気泳動する粒子や粉体の微小な泳動空間、すなわち移動空間を意味する。
【００５０】
隔壁１２は、紫外線硬化樹脂、熱硬化樹脂、常温硬化樹脂等によって構成可能であり、隔壁１２の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。
【００５１】
隔壁１２の高さは、５〜５０μｍ、好ましくは１０〜５０μｍである。５μｍ以下では、充填するインキ量が少なく、十分な表示特性、特にコントラストが得られない一方、５０μｍ以上では、パネルの厚みが大きすぎて、駆動電圧が上昇し過ぎてしまう。低駆動電圧で良好な表示特性が得られるという観点から、１０〜５０μｍの範囲の高さが好適である。
【００５２】
隔壁１２の頂面の幅は、９μｍ〜５０μｍ、好ましくは９μｍ〜２０μｍである。９μｍというのは、隔壁１２が倒れることなくパターニングできる線幅の下限である。隔壁１２の頂面の幅が９μｍ未満である場合、隔壁１２の長さが６０μｍ以上に亘るようなパターンでは、少なくとも隔壁１２の一部が倒れたり、剥がれたり、剥がれた隔壁１２が基板上を移動したりする。そうなった場合には、隔壁１２による粒子の移動を防ぐという機能が失われ、表示品質が劣化してしまう。一方、好適な範囲の上限である５０μｍというのは、目視したときに隔壁１２が目立ち過ぎない上限である。
【００５３】
ここで、隔壁１２の頂面の幅の定義を、図５に示す。頂面の角が丸まっていなければ、図５（ａ）や図５（ｂ）に示すように、頂面の幅はそのまま定義される。一方、頂面の角が丸まっている場合には、図５（ｃ）や図５（ｄ）に示すように、頂面の延長面と壁面の延長面との交線間の幅として理解される。評価のための測定方法としては、隔壁１２が形成された一方の基板１１を硬化性樹脂にて包埋し、ミクロートーム（大和光機工業株式会社製：ＦＸ−８０１）により隔壁１２の断面を切り出し、走査電子顕微鏡（ＳＥＭ）によって撮影した画像に基づいて各幅を測定することができる。
【００５４】
隔壁１２のパターンの形状は、円、格子、ハニカム状（六角形）、その他の多角形など、基本的に任意である。開口率は、７０％以上が好ましく、特に９０％以上が好ましい。高開口率であるほど、表示可能エリアが広くなるため、高コントラストを得ることができる。
【００５５】
第１の可変表示領域６１及び第２の可変表示領域６２におけるセルのサイズ（ピッチ）は、表示パネルの大きさにもよるが、０．０５ｍｍ〜１ｍｍピッチ、好ましくは０．１ｍｍ〜０．５ｍｍピッチである。ここで、「ピッチ」とは、隣接する単位パターンを重ねるべく移動させるのに必要な距離を意味している。
【００５６】
隔壁１２は、図６（ａ）に示すように、一方の基板１１の全面において一様なパターンで形成されていてもよいが、本実施の形態においては、隔壁１２は、第１の可変表示領域６１の縁部６１ｅ及び第２の可変表示領域６２の縁部６２ｅに隣接する固定表示領域６３の縁部において、一方の基板１１の側から他方の基板１６の側に向かう方向に見て、当該固定表示領域６３の縁部に沿う方向に長く延びる形状のセルが区画されるように形成されている。ここで、第１の可変表示領域６１、第２の可変表示領域６２及び固定表示領域６３の「縁部」とは、それぞれ、各領域の周縁部を意味している。具体的には、反射型表示装置が図２（ａ）に示すような直線状に延びる固定表示領域６３を有している場合、隔壁１２は、図６（ｂ）に示すように、第１の可変表示領域６１及び第２の可変表示領域６２の固定表示領域６３に隣接する縁部６１ｅ及び６２ｅに沿って直線状に長く延びるセルを区画するように形成されている。なお、反射型表示装置が図２（ｂ）に示すような鍵型状の固定表示領域６３を有している場合には、隔壁１２は、図６（ｃ）に示すように、第１の可変表示領域６１及び第２の可変表示領域の固定表示領域６３に隣接する縁部６１ｅ'及び６２ｅ'並びに縁部６１ｅ''及び６２ｅ''の各々に沿って長く延びるセルを区画するように形成される。
【００５７】
次に、隔壁１２上に接着層２２が形成される（接着層形成工程：図３の工程（２））。この接着層形成工程では、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００５８】
転写法として典型的な熱転写法の一例について具体的な説明を補足すれば、図７に示すように、例えば基材２１としてのＰＥＴフィルム上に２０μｍの厚みでポリエステル系熱可塑性接着剤のような基板接着用接着剤２２１を形成した転写シート２０を用意する。次に、この転写シート２０を、基板接着用接着剤２２１の面が一方の基板１１の隔壁１２の頂面上に配置されるように、一方の基板１１と対向して配置する。この状態で、一方の基板１１と転写シート２０とを、常温で１ｋＰａの圧力でラミネートする。ラミネートの後で、これをヒートシール剤２２１の軟化温度以上の温度である例えば１２０℃に保たれたホットプレート上において１分間加熱し、その後転写シート２０を剥離する。これにより、隔壁１２上に例えば６μｍ程度の接着層２２が形成される。
【００５９】
接着層２２を形成するための基板接着用接着剤２２１としては、熱可塑性材料を用いた接着剤が好ましく、加熱により軟化して、冷却すると固化する性質を有し、冷却と加熱を繰り返した場合に、塑性が可逆的に保たれる材料である。
【００６０】
熱可塑性材料からなる基板接着用接着剤２２１を接着層２２として用いた場合には、転写シート基材２１上の固化している基板接着用接着剤２２１をその軟化温度を超える温度にまで加熱することにより軟化させて、隔壁１２の頂面のみに確実に接着剤２２１を熱転写することもできる。また、熱転写後の基板接着用接着剤２２１は常温まで冷却して再び固化することにより、タック、すなわちねばつきが無くなるため、取り扱いの便宜が極めて良い。また、タック、すなわちねばつきが無いことによって、セル内に充填された表示媒体１３が接着剤２２１と接着してしまうことがない。そして、再び隔壁１２の頂面の基板接着用接着剤２２１をその軟化温度を超える温度にまで加熱して軟化させることにより、タック、すなわちねばつきを有するようになるため、他方の基板１６に確実に接着される。他方の基板１６との接着後の基板接着用接着剤２２１は、再び常温においてはタック、すなわちねばつきが無いため、やはり表示媒体１３が基板接着用接着剤２２１と接着してしまうことがなく、表示品質の低下のおそれもない。
【００６１】
具体的には、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００６２】
隔壁１２と基板接着用接着剤２２１との密着性を上げるために、隔壁１２に紫外線照射やプラズマ処理などにより表面処理が施されてもよいし、プライマーが形成されてもよい。あるいは、基板接着用接着剤２２１の方にシランカップリング剤が添加されてもよい。
【００６３】
次に、他方の基板１６上の固定表示領域６３に、電気応答性材料固定用接着剤２３が配置される。電気応答性材料固定用接着剤２３としては、本実施の形態では、紫外線硬化樹脂が採用されるが、熱可塑性樹脂や、熱硬化樹脂、粘着性の樹脂等も採用され得る。もっとも、電気応答性材料固定用接着剤２３は、一方の基板１１上の固定表示領域６３に配置されてもよい。
【００６４】
また、一方の基板１１または他方の基板１６に、第１の可変表示領域６１と第２の可変表示領域６２と固定表示領域６３とを含む領域を囲むように、当該領域の外部から当該領域内への水分や酸素等の侵入を妨げるシール材が配置されてもよい。この場合、当該シール材は、後述する他方基板配置工程において一方の基板１１の隔壁の頂面と他方の基板１６とが接着される際に一方の基板１１及び他方の基板１６と共同して当該領域上の空間を密閉することができるように、配置される。
【００６５】
シール材の配置方法の一例について具体的な説明を補足すれば、当該シール材は、例えば紫外線硬化性樹脂のような接着剤を、ディスペンサを用いて線幅０．５ｍｍ、高さ５０μｍで線状に塗布することによって配置される。
【００６６】
シール材は、紫外線硬化性樹脂の他に、熱硬化性樹脂、常温硬化性樹脂、ヒートシール樹脂等によっても構成可能である。また、シール材は、ディスペンサの他に、各種の印刷法によって、あるいは、熱圧着によっても配置可能である。
【００６７】
次に、一方の基板１１上の第１の可変表示領域６１及び第２の可変表示領域６２に、それぞれ、第１の表示媒体１３１及び第２の表示媒体１３２としてのインキが配置される（第１表示媒体配置工程及び第２表示媒体配置工程：図３の工程（４））。図８は、表示媒体配置工程の一例を概略的に示す図である。ここでは、（１）ディスペンサ３１あるいはインクジェット、ダイコートから、第１の可変表示領域６１に第１の表示媒体１３１としてのインキが滴下され、また第２の可変表示領域６２に第２の表示媒体１３２としてのインキが滴下され（インキ滴下工程）、（２）アプリケータ３２あるいはドクターブレード、ドクターナイフ、中央スキージによって、第１の表示媒体１３１及び第２の表示媒体１３２が、それぞれ第１の可変表示領域６１及び第２の可変表示領域６２において面内均一となるように塗布される（インキ塗布工程）。この時、第１の表示媒体１３１及び第２の表示媒体１３２は、第１の表示媒体１３１及び第２の表示媒体１３２の間の領域である固定表示領域６２に侵入して配置されてしまってもよい。
【００６８】
第１の表示媒体１３１及び第２の表示媒体１３２としては、電気応答性材料を含む表示媒体が用いられ得る。電気応答性材料としては、電荷粒子材料、液晶材料があり、電荷粒子材料には白や黒、カラーなどの色づけされた粒子が電場に応答して移動するいわゆる電気泳動材料、または、粒子が二色に色分けされ電場により回転するツイストボールに代表される材料、または、電場により移動するナノ粒子材料等がある。一方、液晶材料は、ＰＤＬＣ（Ｐｏｌｙｍｅｒ  Ｄｉｓｐｅｒｓｅｄ  Ｌｉｑｕｉｄ  Ｃｒｙｓｔａｌ）で知られる透過と散乱を電気的に制御する材料や、液晶に色素を混合した材料、コレステリック液晶材料などがある。これらの電気応答性を有し光学特性を変化させる材料は、種類を問わずセルに隔離する必要があり、本発明の適用対象である。
【００６９】
本実施の形態においては、第１の表示媒体１３１は、第１の色を有する第１の電気応答性材料１３ａを含んでおり、第２の表示媒体１３２は、第２の色を有する第２の電気応答性材料１３ｂを含んでおり、第１の表示媒体１３１及び第２の表示媒体１３２は、更に、少なくとも第１の色及び第２の色とは異なる第３の色を有する第３の電気応答性材料１３ｃを含んでいる。また、第３の電気応答性材料１３ｃは、第１の電気応答性材料１３ａ及び第２の電気応答性材料１３ｂとは異なる極性に帯電されている。具体的には、本実施の形態においては、第１の表示媒体１３１は、負に帯電された黒色の電気応答性材料１３ａと、正に帯電された白色の電気応答性材料１３ｃと、を含んでいる。一方、第２の表示媒体１３２は、負に帯電された緑色の電気応答性材料１３ｂと、正に帯電された白色の電気応答性材料１３ｃと、を含んでいる。これにより、一方の基板１１と他方の基板１６との間に電圧が加えられて一方の基板１１が他方の基板１６よりも相対的に低電位にされた時、正に帯電された白色の第３の電気応答性材料１３ｃが一方の基板１１の側に移動され、負に帯電された黒色の第１の電気応答性材料１３ａと、同じく負に帯電された緑色の第２の電気応答性材料１３ｂとは、他方の基板１６の側に移動されるようになっている。
【００７０】
図３に戻って、他方の基板１６が、隔壁１２上の接着層２２上に配置される。この時、他方の基板１６は、他方の基板１６上に配置された電気応答性材料固定用接着剤２３が一方の基板１１の固定表示領域６３に対向するように位置決めされる。そして、隔壁１２上の接着層２２と、一方の基板１１に対して対向する他方の基板１６とが接着される（他方基板配置工程：図３の工程（５））。これにより、第１の表示媒体１３１及び第２の表示媒体１３２が各セル内に封止される。
【００７１】
対向基板接着工程は、図９に示すように、接着層２２として転写された接着剤２２１を加熱させて接着力を得るようになっている。具体的には、ラミネータ９１によって所定の熱圧着圧力（ラミネート圧力）を付与しながら、基板接着用接着剤２２１を周辺からその軟化温度を超える温度にまで加熱して軟化させることによって、隔壁１２と他方の基板１６とを接着する。もっとも、他の熱圧着の態様が採用されてもよい。
【００７２】
本実施の形態においては、一方の基板１１と他方の基板１６とは、図９（ａ）に示すように、ラミネート方向が第１の可変表示領域１３１及び第２の可変表示領域１３２の固定表示領域６３に隣接する縁部６１ｅ及び６２ｅに沿った方向となるよう、一方の基板１１と他方の基板１６とが互いに押圧される部位が縁部６１ｅ及び６２ｅに沿って移動されながら、配置される。なお、反射型表示装置が図２（ｂ）に示すような鍵型状の固定表示領域６３を有している場合、一方の基板１１と他方の基板１６とは、図９（ｂ）に示すように二度に分けて行ってもよい。具体的には、一回目のラミネートは、一方の基板１１及び他方の基板１６の中央から、第１の可変表示領域１３１及び第２の可変表示領域１３２の固定表示領域６３に隣接する縁部６１ｅ'及び６２ｅ'に沿って、一方の基板１１及び他方の基板１６の一方の縁部の側に向けて（図９（ｂ）の右方向に）行い、二回目のラミネートは、一方の基板１１及び他方の基板１６の中央から、一方の基板１１及び他方の基板１６の他方の縁部の側に向けて（図９（ｂ）の左方向に）行ってもよい。
【００７３】
更に、本実施の形態では、ラミネータ９１による接着の後で、さらに両基板１１、１６の四辺（周辺部）を熱圧着する四辺熱圧着工程が実施される。具体的には、両基板１１、１６の四辺（周辺部）の下方にホットプレートを敷いておいて、両基板１１、１６の四辺部を内側から外側に金属片でラミネート圧を加えることで実施される。以上のようにして、第１の表示媒体１３１及び第２の表示媒体１３２は、それぞれ、第１の可変表示領域６１及び第２の可変表示領域６２において、一方の基板１１及び他方の基板１６の間に配置される。
【００７４】
図３に戻って、固定表示領域６３において第１の表示媒体１３１及び／または第２の表示媒体１３２に含まれる電気応答性材料の少なくとも一部が他方の基板１６上の電気応答性材料固定用接着剤２３に吸着されるよう、固定表示領域６３において一方の基板１１と他方の基板１６との間に電圧が加えられる（電気応答性材料固定工程：図３の工程（６））。本実施の形態においては、第１の表示媒体１３１及び第２の表示媒体１３２に共通して含まれている正に帯電された白色の第３の電気応答性材料１３ｃが一方の基板１１の側に移動されるよう、一方の基板１１が他方の基板１６に対して相対的に低電位となるように、一方の基板１１と他方の基板１６との間に電圧が加えられる。これにより、第１の表示媒体１３１に含まれる負に帯電された第１の電気応答性材料１３ａと、第２の電気応答性材料１３２に含まれる負に帯電された第２の電気応答性材料１３ｂと、が他方の基板１６の側に移動されて、他方の基板１６上の電気応答性材料固定用接着材２３に吸着されることとなる。また、第１の表示媒体１３１及び第２の表示媒体１３２に共通して含まれている正に帯電された白色の第３の電気応答性材料１３ｃは、一方の基板１１の側に移動されることとなる。
【００７５】
その後、電気応答性材料固定用接着剤２３に対して紫外線が照射されて電気応答性材料固定用接着剤２３が硬化され、電気応答性材料固定用接着材２３に吸着された第１の電気応答性材料１３ａ及び第２の電気応答性材料１３ｂは、電気応答性材料固定用接着剤２３に固定される。これにより、固定表示領域６３において電気応答性材料固定用接着材２３に固定された第１の電気応答性材料１３ａ及び第２の電気応答性材料１３ｂは、基板間の電圧の変化によっても移動されないこととなる。この結果、固定表示領域６３において一方の基板１１の側に移動された白色の第３の電気応答性材料１３ｃの移動状態が維持され、視認側の固定表示領域６３において白色の固定した表示がなされることとなる。もっとも、電気応答性材料固定用接着剤２３が熱硬化樹脂で形成されている場合には、電気応答性材料固定用接着剤２３は、加熱されて硬化される。
【００７６】
次いで、基板間に前述のシール材が配置されている場合には、当該シール材を硬化させる処理がなされ、以上により、所望の反射型表示装置の製造が完了する。
【００７７】
以上のように、本実施の形態によれば、第１の可変表示領域６１と第２の可変表示領域６２との間の固定表示領域６３に配置される第１の表示媒体１３１及び／または第２の表示媒体１３２に含まれる電気応答性材料１３ａ，１３ｂは、固定表示領域６３に電圧が加えられて一方の基板１１または他方の基板１６の側に移動され、他方の基板１６上に配置された電気応答性材料固定用接着剤２３によって固定される。これにより、固定表示領域６３では、電気応答性材料固定用接着剤２３が配置されている他方の基板１６に対向する一方の基板１１の側においても、電気応答性材料１３ｃが固定される。この結果、第１の表示媒体１３１及び第２の表示媒体１３２が混ざり合って配置されてしまう可能性のある固定表示領域６３では、視認側に配置される基板１１の側に電気応答性材料１３ｃが固定され、一方の基板１１と他方の基板１６との間の電界の変化に関係なく固定した表示がなされる。この結果、当該固定した表示がなされる固定表示領域６３に第１の表示媒体１３１と第２の表示媒体１３２とが混ざり合って配置されてしまっても、固定表示領域６３における表示媒体１３１，１３２が反射型表示装置の表示品質に影響を与える、ということがない。
【００７８】
また、第１の表示媒体１３１は、第１の色を有する第１の電気応答性材料１３ａを含んでおり、第２の表示媒体１３２は、第２の色を有する第２の電気応答性材料１３ｂを含んでおり、第１の表示媒体１３１及び第２の表示媒体１３２は、更に、少なくとも第１の色及び前記第２の色とは異なる第３の色を有する第３の電気応答性材料１３ｃを含んでおり、第３の電気応答性材料１３ｃは、第１の電気応答性材料１３ａ及び第２の電気応答性材料１３ｂとは異なる極性に帯電されている。これにより、電気応答性材料固定工程において固定表示領域６３に電圧が加えられる時、第１の可変表示領域６１及び第２の可変表示領域６２の表示に共通して用いられる色と同じ色を有する第３の電気応答性材料１３ｃのみを視認側の基板１１の側に移動させる、ということが容易である。この結果、外観の優れた反射型表示装置を製造することが容易である。
【００７９】
また、本実施の形態の反射型表示装置は、一方の基板１１と他方の基板１６との間に設けられ、第１の可変表示領域６１及び第２の可変表示領域６２を含む領域において複数のセルを区画する隔壁１２を更に備え、第１の表示媒体１３１及び第２の表示媒体１３２は、それぞれ第１の可変表示領域６１及び第２の可変表示領域６２において、各セル内に配置されている。このため、電気応答性材料１３ａ，１３ｂの沈降や偏在に起因して表示の不良、特にコントラストの低下が生じてしまう、ということが防止され得る。
【００８０】
また、隔壁形成工程において、第１の可変表示領域６１の縁部６１ｅ及び第２の可変表示領域６２の縁部６２ｅに隣接する固定表示領域６３の縁部において、一方の基板１１の側から他方の基板１６の側に向かう方向に見て、当該縁部に沿う方向に長く延びる形状のセルが区画され、他方基板配置工程において、他方の基板１６は、一方の基板１１と当該他方の基板１６とが互いに押圧されて当該一方の基板１１と当該他方の基板１６とが互いに押圧される部位が第１の可変表示領域６１の縁部６１ｅ及び／または第２の可変表示領域６２の縁部６２ｅに沿って移動されながら、配置される。これにより、隔壁１２が形成された基板１１上の第１の可変表示領域６１及び第２の可変表示領域６２にそれぞれ第１の表示媒体１３１及び第２の表示媒体１３２が配置される時、第１の表示媒体１３１及び第２の表示媒体１３２は、第１の可変表示領域６１及び第２の可変表示領域６２の間の固定表示領域６３において第１の可変表示領域６１の縁部６１ｅ及び第２の可変表示領域６２の縁部６２ｅに沿って移動し得る。これにより、第１の表示媒体１３１が第２の可変表示領域６２に侵入してしまうことも、第２の表示媒体１３２が第１の可変表示領域６１に侵入してしまうことも抑制される。この結果、第１の可変表示領域６１及び第２の可変表示領域６２における表示品質が共に良好な反射型表示装置を製造する、ということが容易である。
【００８１】
＜反射型表示装置の製造方法２＞
次に、図１０を参照して、本発明による反射型表示装置の製造方法の第２の実施の形態について説明する。図１０において、一方の基板１１の面上には、電極が設けられているが、その電極の図示は省略されている。
【００８２】
本実施の形態の反射型表示装置は、他方の基板１６の第１の可変表示領域６１には第１の対向電極１６１が形成されており、第２の可変表示領域６２には第２の対向電極１６２が形成されており、固定表示領域６３には第３の対向電極１６３が形成されており、第３の対向電極１６３は、第１の対向電極１６１及び第２の対向電極１６２とは、電気的に接続されていない。その他の構成は、図１に示す反射型表示装置と略同一である。もっとも、本実施の形態の反射型表示装置においては、一方の基板１１及び／または他方の基板１６の固定表示領域６３に電気応答性材料固定用接着剤２３が配置されていなくてもよい。
【００８３】
また、本実施の形態の反射型表示装置の製造方法においては、電気応答性材料固定工程において、第１の表示媒体１３１及び／または第２の表示媒体１３２に含まれる電気応答性材料の少なくとも一部が少なくとも一方の基板１１の側に凝集することによって固定されるよう、固定表示領域６３において一方の基板１１と他方の基板１６との間に電気応答性材料凝集用電圧が加えられる。本実施の形態においては、電気応答性材料凝集用電圧としては、反射型表示装置の駆動電圧よりも非常に高い電圧、例えば当該駆動電圧の２倍以上の電圧、が採用可能である。ただし、電気応答性材料凝集用電圧が駆動電圧よりも著しく高い場合、例えば駆動電圧の１０倍より高い場合、反射型表示装置の電極や配線など電気回路を構成する部材に過剰な負荷がかかってしまう結果、表示品質が損なわれてしまうことがある。したがって、本実施の形態では、電気応答性材料凝集用電圧として、駆動電圧２〜５倍の電圧が採用される。
【００８４】
さらに、本実施の形態の反射型表示装置の製造方法は、隔壁形成工程を備えていなくてもよく、この場合、表示媒体１３１，１３２として電気応答性材料１３ａ，１３ｂ，１３ｃをマイクロカプセルのような構造体に封入したもの、すなわち基板１１，１６間に配置された表示媒体１３１，１３２中の電気応答性材料１３ａ，１３ｂ，１３ｃが基板１１，１６に直接接触し得ない、というような構造体に封入したもの、更にそのような表示媒体をシート状に固めたものも採用可能である。
【００８５】
その他の構成は、図３に示す反射型表示装置の製造方法と略同一である。もっとも、本実施の形態の反射型表示装置の製造方法は、電気応答性材料固定用接着剤配置工程を備えていなくてもよい。
【００８６】
本実施の形態によっても、第１の可変表示領域６１と第２の可変表示領域６２との間の固定表示領域６３に配置される第１の表示媒体１３１及び／または第２の表示媒体１３２に含まれる電気応答性材料１３ａ，１３ｂ，１３ｃは、固定表示領域６３に電気応答性材料凝集用電圧が加えられることによって、視認側の基板１１の側に凝集して固定される。これにより、第１の表示媒体１３１及び第２の表示媒体１３２が混ざり合って配置されてしまう可能性のある固定表示領域６３では、視認側に配置される基板１１の側に電気応答性材料が固定され、一方の基板１１と他方の基板１６との間の電界の変化に関係なく固定した表示がなされる。この結果、当該固定した表示がなされる固定表示領域６３に第１の表示媒体１３１と第２の表示媒体１３２とが混ざり合って配置されてしまっても、固定表示領域６３における表示媒体１３１，１３２が反射型表示装置の表示品質に影響を与える、ということがない。
【００８７】
＜反射型表示装置の製造方法３＞
本実施の形態の反射型表示装置の構成は、図１に示す反射型表示装置の構成または図１０に示す反射型表示装置の構成と略同一である。もっとも、本実施の反射型表示装置においては、一方の基板１１及び／または他方の基板１６の固定表示領域６３に電気応答性材料固定用接着剤２３が配置されていなくてもよい。また、固定表示領域６３の第３の対向電極１６３は、第１の可変表示領域６１の第１の対向電極１６１及び第２の可変表示領域６２の第２対向電極１６２と、電気的に接続されていてもよい。
【００８８】
また、本実施の形態の反射型表示装置の製造方法においては、電気応答性材料固定工程において、固定表示領域６３において第１の表示媒体１３１及び／または第２の表示媒体１３２に含まれる電気応答性材料の少なくとも一部が少なくとも一方の基板１１の側に凝集することによって固定されるよう、固定表示領域６３において第１の表示媒体１３１及び／または第２の表示媒体１３２を所定の電気応答性材料凝集用温度以上に加熱し、この状態で当該固定表示領域６３において一方の基板１１と他方の基板１６との間に電気応答性材料凝集用電圧を加える。本実施の形態の電気応答性材料凝集用温度としては、本実施の形態の反射型表示装置がいわゆる焼き付きを起こすような温度、例えば６０℃以上の温度、が採用可能であり、また、本実施の形態の電気応答性材料凝集用電圧としては、反射型表示装置の駆動電圧と同程度の電圧が採用可能である。その他の構成は、図３に示す反射型表示装置の製造方法と略同一である。もっとも、本実施の形態の反射型表示装置の製造方法は、電気応答性材料固定用接着剤配置工程や隔壁形成工程を備えていなくてもよい。
【００８９】
本実施の形態によっても、固定表示領域６３において電気応答性材料が凝集して固定され得る。
【００９０】
＜反射型表示装置の製造方法４＞
本実施の形態の反射型表示装置の構成は、図１に示す反射型表示装置の構成または図１０に示す反射型表示装置の構成と略同一である。もっとも、本実施の反射型表示装置においては、一方の基板１１及び／または他方の基板１６の固定表示領域６３に電気応答性材料固定用接着剤２３が配置されていなくてもよい。また、固定表示領域６３の第３の対向電極１６３は、第１の可変表示領域６１の第１の対向電極１６１及び第２の可変表示領域６２の第２対向電極１６２と、電気的に接続されていてもよい。
【００９１】
また、本実施の形態の反射型表示装置の製造方法は、他方基板配置工程の前に、一方の基板１１の固定表示領域６３に、第１の表示媒体１３１及び／または第２の表示媒体１３２中の電気応答性材料を凝集させるための有機物成分を配置する表示媒体凝集剤配置工程を更に備えている。有機物成分の具体例としては、オリゴマー、ポリマーであって、水酸基などの極性官能基を有する化合物や、アリクロイル基などの反応性官能基を有する化合物などが挙げられる。このような有機物成分が表示媒体１３１，１３２に混入されていると、基板間１１，１６に電圧が加えられる際、当該有機物成分が表示媒体１３１，１３２中の電気応答性材料１３ａ，１３ｂ，１３ｃの電荷のバランスが不可逆的に崩されてしまって、電気応答性材料１３ａ，１３ｂ，１３ｃが凝集してしまうことがある。本実施の形態では、このような現象を利用して、固定表示領域６３に配置された電気応答性材料１３ａ，１３ｂ，１３ｃの少なくとも一部が少なくとも一方の基板１１の側に凝集して固定される。なお、本実施の形態の電気応答性材料凝集用電圧としては、反射型表示装置の駆動電圧と同程度の電圧が採用可能である。
【００９２】
その他の構成は、図３に示す反射型表示装置の製造方法と略同一である。もっとも、本実施の形態の反射型表示装置の製造方法は、電気応答性材料固定用接着剤配置工程を備えていなくてもよい。
【００９３】
本実施の形態によっても、固定表示領域６３において電気応答性材料が凝集して固定され得る。
【００９４】
＜反射型表示装置の製造方法５＞
本実施の形態の反射型表示装置の構成は、図１に示す反射型表示装置の構成または図１０に示す反射型表示装置の構成と略同一である。もっとも、本実施の反射型表示装置においては、一方の基板１１及び／または他方の基板１６の固定表示領域６３に電気応答性材料固定用接着剤２３が配置されていなくてもよい。また、固定表示領域６３の第３の対向電極１６３は、第１の可変表示領域６１の第１の対向電極１６１及び第２の可変表示領域６２の第２対向電極１６２と、電気的に接続されていてもよい。
【００９５】
本実施の形態の反射型表示装置の製造方法では、図３に示す実施の形態と同様に、隔壁形成工程において、第１の可変表示領域６１の縁部６１ｅ及び／または第２の可変表示領域６２の縁部６２ｅに隣接する固定表示領域６３の縁部において、一方の基板１１の側から他方の基板１６の側に向かう方向に見て、当該縁部沿う方向に長く延びる形状のセルが区画される。その上で、電気応答性材料固定工程において、固定表示領域６３において第１の表示媒体１３１及び／または第２の表示媒体１３２に含まれる電気応答性材料の少なくとも一部が少なくとも一方の基板１１の側に凝集することによって固定されるよう、電気応答性材料凝集用電圧が十分な時間長だけ与えられる。本実施の形態における電気応答性材料凝集用電圧としては、反射型表示装置の駆動電圧と同程度の電圧が採用可能である。その他の構成は、図３に示す反射型表示装置の製造方法と略同一である。もっとも、本実施の形態の反射型表示装置の製造方法は、電気応答性材料固定用接着剤配置工程を備えていなくてもよい。
【００９６】
本実施の形態では、固定表示領域６３に電気応答性材料の凝集が生じやすい形状のセル、すなわち、基板１１，１６の平面方向の移動を許容するような長く延びる形状のセル、が形成されている。このため、固定表示領域６３に電気応答性材料凝集用電圧が十分な時間長だけ与えられることにより、当該電気応答性材料凝集用電圧が反射型表示装置の駆動用電圧と同程度の電圧であったとしても、当該セル内の電気応答性材料は、凝集して固定され得る。
【００９７】
＜反射型表示装置の製造方法６＞
本実施の形態の反射型表示装置の構成は、図１に示す反射型表示装置の構成または図１０に示す反射型表示装置の構成と略同一である。もっとも、本実施の反射型表示装置においては、一方の基板１１及び／または他方の基板１６の固定表示領域６３に電気応答性材料固定用接着剤２３が配置されていなくてもよい。
【００９８】
本実施の形態の反射型表示装置は、固定表示領域６３に形成された対向電極と、当該対向電極と２枚の基板１１，１６間に駆動用電圧を印加するための駆動用電源と、が電気的に接続されていない。その他の構成は、図１に示す反射型表示装置と略同一である。もっとも、本実施の形態の反射型表示装置においては、一方の基板１１及び／または他方の基板１６の固定表示領域６３に電気応答性材料固定用接着剤２３が配置されていなくてもよい。
【００９９】
また、本実施の形態の反射型表示装置の製造方法は、他方基板配置工程の後に実施され、固定表示領域６３において第１の表示媒体１３１及び／または第２の表示媒体１３２に含まれる電気応答性材料１３ａ，１３ｂ，１３ｃの少なくとも一部を少なくとも一方の基板１１の側に固定する電気応答性材料固定工程を備えている。具体的には、まず、電気応答性材料固定工程において、一方の基板１１及び他方の基板１６の全ての領域６１，６２，６３に形成されている電極が、反射型表示装置の駆動用電源に接続され、第１の表示媒体１３１及び／または第２の表示媒体１３２に含まれる電気応答性材料１３ａ，１３ｂ，１３ｃの少なくとも一部が少なくとも一方の基板１１の側に移動されるよう、２枚の基板間１１，１６に電圧が加えられる。その後、固定表示領域６３において一方の基板１１の側に移動された電気応答性材料１３ｃの移動状態が維持されるよう、他方の基板１６上の固定表示領域６３に形成されている対向電極と、当該対向電極と２枚の基板１１，１６間に駆動電圧を加えて電界を与えるための駆動用電源と、の電気的接続が断たれる。より具体的には、当該固定表示領域６３に配置される対向電極と、駆動用電源と、の間の配線が切断される。その他の構成は、図３に示す反射型表示装置の製造方法と略同一である。もっとも、本実施の形態の反射型表示装置の製造方法は、隔壁形成工程及び電気応答性材料固定用接着剤配置工程を備えていなくてもよい。
【０１００】
本実施の形態の形態においては、固定表示領域６３において一方の基板１１及び他方の基板１６の間に配置される第１の表示媒体１３１及び／または第２の表示媒体１３２に含まれる電気応答性材料１３ｃは、視認側の基板１１の側に移動され、その後、固定表示領域６３に形成されている電極と反射型表示装置の駆動用電源との電気的接続が断たれることによって、その移動状態が維持される。これにより、第１の表示媒体１３１及び第２の表示媒体１３２が混ざり合って配置されてしまう可能性のある固定表示領域６３では、視認側に配置される基板１１の側に電気応答性材料１３ｃが固定され、第１の表示領域６１及び第２の表示領域６２における一方の基板１１と他方の基板１６との間の電界の変化に関係なく固定した表示がなされる。この結果、当該固定した表示がなされる固定表示領域６３に第１の表示媒体１３１と第２の表示媒体１３２とが混ざり合って配置されてしまっても、固定表示領域６３における表示媒体１３１，１３２が反射型表示装置の表示品質に影響を与える、ということがない。
【０１０１】
次に、実際に行われた実施例について説明する。
【０１０２】
＜反射型表示装置の実施例＞
一方の基板１１として、１５０ｍｍ×１５０ｍｍ×厚さ０．１２５ｍｍのＰＥＴフィルム（東洋紡製Ａ４１００）の一方の面に透光性電極として酸化インジウムスズ（ＩＴＯ）蒸着膜（厚さ０．２μｍ）が設けられた基板が用意された。透光性電極は、スパッタリング、真空蒸着法、ＣＶＤ法などの一般的な成膜方法によって形成され、酸化インジウムスズ（ＩＴＯ）の他に、酸化亜鉛（ＺｎＯ）、酸化スズ（ＳｎＯ）等によっても形成され得る。
【０１０３】
次に、当該一方の基板１１に、ネガ型感光性樹脂材料（デュポンＭＲＣドライフィルムレジスト（株）製のドライフィルムレジスト）を２０μｍの厚さにラミネートして１００℃、１分間の条件で加熱し、次いで露光マスクを使用して露光（露光量５００ｍＪ／ｃｍ２  ）し、その後、１％ＫＯＨ水溶液を用いた現像を３０秒行い、２００℃、６０分間の条件で焼成することで、線幅が２０μｍの隔壁１２が形成された。隔壁１２は、図６（ｂ）に示すように、第１の可変表示領域６１の縁部６１ｅ及び第２の可変表示領域６２の縁部６２ｅに隣接する固定表示領域６３の縁部において、一方の基板１１の側から他方の基板１６の側に向かう方向に見て、当該縁部に沿う方向に長く延びる形状のセルが区画されるように形成された。第１の可変表示領域６１及び第２の可変表示領域６２を含むその他の領域においては、隔壁１２は、格子状のパターンで形成された。
【０１０４】
そして、転写フィルム基材２１として厚さ５０μｍのポリエチレンテレフタレート（ＰＥＴ）フィルム２１（帝人・デュポン社製）が用いられ、これにヒートシール剤２２１（東洋紡製バイロン６３０）が厚さ２０μｍでダイコーダにて塗布され、乾燥された。これにより、１０μｍの接着層を有するロール状の転写シート２０が作製された。なお、ヒートシール剤２２１の軟化温度は約１１０℃であった。
【０１０５】
そして、一方の基板１１の隔壁１２の頂面上に、転写シート２０が、その接着層が形成されている側の面を下にした状態で載せられ、この状態で、１ｋＰａ程度の押圧力で常温でラミネートされた。その後、ヒートシール剤２２１の周辺がその軟化温度を超える温度、例えば１３０℃程度にまで加熱され、その状態で転写シート２０が、一方の基板１１から剥離された。その結果、ヒートシール剤２２１が隔壁１２の頂面の全面に熱転写された。隔壁１２の頂面からヒートシール剤２２１の頭頂部までの高さは、約６μｍであった。
【０１０６】
次いで、他方の基板１６として、それぞれ、１５０ｍｍ×１５０ｍｍ×厚さ０．７ｍｍの無アルカリガラス（日本電気硝子製ＯＡ−１０Ｇ）に、４インチ相当のパネルの駆動電極に相当するＩＴＯ電極である対向電極が形成されたものが用いられた。
【０１０７】
そして、他方の基板１６の固定表示領域６３に、電気応答性材料固定用接着剤２３として、紫外線硬化樹脂が配置された。
【０１０８】
次に、第１の表示媒体１３１及び第２の表示媒体１３２として、以下の成分を有するインキが用意された。
＜インキ成分＞
・電気泳動粒子        ・・・６０重量部
・分散液              ・・・４０重量部
【０１０９】
第１の表示媒体１３１には、負に帯電された黒色の電気泳動粒子１３ａと、正に帯電された白色の電気泳動粒子１３ｃと、が重量比約１：１の割合で含まれていた。また、第２の表示媒体１３２には、負に帯電された緑色の電気泳動粒子１３ｂと、正に帯電された白色の電気泳動粒子１３ｃと、が重量比約１：１の割合で含まれていた。
【０１１０】
次に、第１の表示媒体１３１が一方の基板１１上の第１の可変表示領域６１に、第２の表示媒体１３２が一方の基板１１上の第２の可変表示領域６２に、ディスペンサにて滴下された。そして、第１の表示媒体１３１及び第２の表示媒体１３２は、それぞれ、一方の基板１１上の第１の可変表示領域６１及び第２の可変表示領域６２において、アプリケータ（テスター産業製）にて、一方の基板１１の表面より５０μｍのギャップにて塗工された。このとき、第１の可変表示領域６１及び第２の可変表示領域６２の間の固定表示領域６３に、第１の表示媒体１３１及び第２の表示媒体１３２が侵入した。
【０１１１】
そして、大気中にて、一方の基板１１の隔壁１２上の接着層２２の上に他方の基板１６を、他方の基板１６上の電気応答性材料固定用接着剤２３が一方の基板１１の固定表示領域６３に対向するように位置決めして重ね合わせ、ラミネータ９１で一定の熱圧着圧力をさらに付与しつつ、隔壁１２内のセル容積を超える余剰のインクを押し出しながら、一方の基板１１の隔壁１２と他方の基板１６とが密着された。ラミネート時のラミネータ９１の移動方向は、一方の基板１１と他方の基板１６とが互いに押圧される部位が、第１の固定表示領域６１の縁部６１ｅ及び第２の固定表示領域６２の縁部６２ｅに沿った方向であった。
【０１１２】
熱圧着時の温度は、ヒートシール剤２２１の軟化点または融点付近の温度であって、インクの蒸発が促進しない温度が好ましく、８０℃〜１５０℃、好ましくは８０℃〜９０℃であり、本実施例では８０℃であった。また、熱圧着圧力は、０．０１ＭＰａ〜０．７ＭＰａが好ましく、特には０．１ＭＰａ〜０．４ＭＰａが好ましく、本実施例では０．３ＭＰａであった。
【０１１３】
その後、固定表示領域６３において一方の基板１１が他方の基板１６よりも相対的に低電位となるように、一方の基板１１と他方の基板１６との間に電圧が加えられた。これにより、固定表示領域６３に配置された第１の表示媒体１３１及び第２の表示媒体１３２中の正に帯電された白色の第３の電気応答性材料１３ｃが、一方の基板１１の側に移動された。また、固定表示領域６３に配置された第１の表示媒体１３１及び第２の表示媒体１３２中の負に帯電された黒色の第１の電気応答性材料１３ａ及び緑色の第２の電気応答性材料１３ｂが、他方の基板１６の側に移動され、電気応答性材料固定用接着剤２３に吸着された。その後、電気応答性材料固定用接着剤２３に紫外線を露光（露光量７００ｍＪ／ｃｍ２  ）して硬化させた。
【０１１４】
また、表示パネルの外周部にシール材として紫外線硬化樹脂を配置し、当該シール材に紫外線を露光（露光量７００ｍＪ／ｃｍ２  ）して硬化させた（外周封止処理）。以上により表示パネルが作製された。
【０１１５】
以上のようにして得られた表示パネルについて表示品質を評価したが、第１の可変表示領域６１における表示品質も、第２の可変表示領域６２における表示品質も、いずれも良好であった。また、固定表示領域６３においては、基板間の電界の変化に関係なく、白色の固定した表示がなされた。
【０１１６】
また、第１の可変表示領域６１のセル内及び第２の可変表示領域６２のセル内を観察したところ、第１の可変表示領域６１のセル内に第２の表示媒体１３２は観察されず、第２の可変表示領域６２のセル内において第１の表示媒体１３１は観察されなかった。
【符号の説明】
【０１１７】
１１  一方の基板
１２  隔壁
１３１  第１の表示媒体
１３２  第２の表示媒体
１３ａ  第１の電気応答性材料
１３ｂ  第２の電気応答性材料
１３ｃ  第３の電気応答性材料
１６  他方の基板
２２  接着層
２２１  基板接着用接着剤（ヒートシール剤）
２３  電気応答性材料固定用接着剤
６１  第１の可変表示領域
６２  第２の可変表示領域
６３  固定表示領域
９１  ラミネータ
【図１】
2015064496.tif 000003
【図２】
2015064496.tif 000004
【図３】
2015064496.tif 000005
【図４】
2015064496.tif 000006
【図５】
2015064496.tif 000007
【図６】
2015064496.tif 000008
【図７】
2015064496.tif 000009
【図８】
2015064496.tif 000010
【図９】
2015064496.tif 000011
【図１０】
2015064496.tif 000012